(57)【特許請求の範囲】
【請求項１】
立位姿勢の被検者に対しＸ線を照射するＸ線管と、被検者を透過したＸ線を検出するＸ線検出手段と、を備えるＸ線撮影装置において使用されるＸ線撮影用衝立であって、
被検者が立位姿勢で乗る基台部と、
前記基台部に立設された衝立部と、
被検者が前記基台部に乗り降りするときに使用され、前記基台部内に収納可能であるとともに、前記Ｘ線検出手段を載置するための載置部を備えたステップと、
前記基台部内に配設され、前記ステップの収納位置と引き出し位置との間の移動を案内するガイド部材と、
を備えたことを特徴とするＸ線撮影用衝立。
【請求項２】
請求項１に記載のＸ線撮影用衝立において、
前記ステップは、前記Ｘ線検出手段の位置決め部材を備え、
前記基台部の上面には孔部が形成され、当該孔部にＸ線吸収率の低い材料で構成された板材を配設したＸ線撮影用衝立。
【請求項３】
請求項２に記載のＸ線撮影用衝立において、
前記ガイド部材は、前記ステップを前記板材と近接する撮影位置に移動させるリフト機構を備えるＸ線撮影用衝立。
【請求項４】
請求項２または請求項３に記載のＸ線撮影用衝立において、
前記載置部には、前記Ｘ線検出手段のサイズに対応する位置にマーカーが形成され、
前記位置決め部材は、前記Ｘ線検出手段のサイズに対応するマーカーの位置に移動可能であるＸ線撮影用衝立。
【請求項５】
立位姿勢の被検者に対しＸ線を照射するＸ線管と、被検者を透過したＸ線を検出するＸ線検出手段を搭載する受像部を上下方向に移動可能に配設した立位撮影スタンドと、被検者と前記受像部との間に付設されるＸ線撮影用衝立と、を備えるＸ線撮影装置であって、
前記Ｘ線検出手段は、前記受像部から取り外し可能であり、
前記Ｘ線撮影用衝立は、
被検者が立位姿勢で乗る基台部と、
前記基台部に立設された衝立部と、
前記受像部より取り外した前記Ｘ線検出手段を載置するための載置部と、前記Ｘ線検出手段を位置決めする位置決め部材とを有し、被検者が前記基台部に乗り降りするときに使用される前記基台部内に収納可能なステップと、
前記基台部内に配設され、前記ステップの収納位置と引き出し位置との間の移動を案内するガイド部材と、
を備えることを特徴とするＸ線撮影装置。
【請求項６】
請求項５に記載のＸ線撮影装置において、
前記基台部の上面には孔部が形成され、当該孔部にＸ線吸収率の低い材料で構成された板材を配設し、
前記ガイド部材は、前記ステップを前記板材と近接する撮影位置に移動させるリフト機構を備えるＸ線撮影装置。
【発明の詳細な説明】
【技術分野】
【０００１】
この発明は、立位撮影を行うときに使用されるＸ線撮影用衝立およびＸ線撮影装置に関する。
【背景技術】
【０００２】
立位姿勢の被検者を撮影するＸ線撮影装置では、被検者を通過したＸ線を検出するフラットパネルディテクタ（ＦＰＤ）等を備えた受像部が、被検者の撮影部位に応じて上下動可能に配設された立位撮影スタンドが備えられている。このようなＸ線撮影装置において、立位撮影スタンドの受像部を移動させながら立位断層撮影や立位長尺撮影等のＸ線撮影を行う場合は、被検者が移動する受像部と接触するのを防止するために、受像部と被検者との間に衝立が設置されている。
【０００３】
受像部と被検者との間に設置される立位撮影スタンド用衝立は、受像部を移動させない、例えば、胸部のみのＸ線撮影を行う場合には使用する必要がない。このため、立位撮影スタンド用の衝立は、立位撮影スタンドに対して着脱および移動可能な構造を有している（特許文献１参照）。
【０００４】
しかしながら、立位撮影スタンドにおける受像部の上下方向の可動範囲は、受像部の大きさや機械的要素等を考慮して所定の範囲内に制限されている。このため、特許文献１に記載のように被検者が立位撮影スタンドの設置面と同一高さ位置で立位姿勢をとっている場合、被検者の足首および足先部分などは受像部の可動範囲外となってしまい、これらの部位については撮影することができない。このため、被検者の足首および足先部分まで撮影を行う場合には、被検者を台に載せた状態で撮影を行う必要がある（特許文献２参照）。
【先行技術文献】
【特許文献】
【０００５】
【特許文献１】特開２００８−１４２２６５号公報
【特許文献２】特開２００９−８９９３４号公報
【発明の概要】
【発明が解決しようとする課題】
【０００６】
ところが、被検者の足首より下の部分まで撮影を行うために被検者を載せる台の高さは、受像部の可動下限との関係から床面より比較的高い位置に設定されている。このため、特に、関節の痛みなどの何らかの不具合が下肢にあり、脚全体または足先から背中にわたる検査が必要な被検者が自ら一度に乗り降りするには、床面と台との段差が大きいという問題があった。また、被検者の台への乗り降りを容易とするため、台に電動昇降機構を備えることも考えられるが、そうすると、大掛かりで高価な装置となってしまい、移動させるのも困難になりがちである。
【０００７】
この発明は上記課題を解決するためになされたものであり、簡易な構成でありながら被検者が基台部への乗り降りを容易に行うことが可能なＸ線撮影用衝立およびＸ線撮影装置を提供することを目的とする。
【課題を解決するための手段】
【０００８】
請求項１に記載の発明は、立位姿勢の被検者に対しＸ線を照射するＸ線管と、被検者を透過したＸ線を検出するＸ線検出手段と、を備えるＸ線撮影装置において使用されるＸ線撮影用衝立であって、被検者が立位姿勢で乗る基台部と、前記基台部に立設された衝立部と、被検者が前記基台部に乗り降りするときに使用され、前記基台部内に収納可能であるとともに、前記Ｘ線検出手段を載置するための載置部を備えたステップと、前記基台部内に配設され、前記ステップの収納位置と引き出し位置との間の移動を案内するガイド部材と、を備えたことを特徴とする。
【０００９】
請求項２に記載の発明は、請求項１に記載の発明において、前記ステップは、前記Ｘ線検出手段の位置決め部材を備え、前記基台部の上面には孔部が形成され、当該孔部にＸ線吸収率の低い材料で構成された板材を配設した。
【００１０】
請求項３に記載の発明は、請求項２に記載の発明において、前記ガイド部材は、前記ステップを前記板材と近接する撮影位置に移動させるリフト機構を備える。
【００１１】
請求項４に記載の発明は、請求項２または請求項３に記載の発明において、前記載置部には、前記Ｘ線検出手段のサイズに対応する位置にマーカーが形成され、前記位置決め部材は、前記Ｘ線検出手段のサイズに対応するマーカーの位置に移動可能である。
【００１２】
請求項５に記載の発明は、立位姿勢の被検者に対しＸ線を照射するＸ線管と、被検者を透過したＸ線を検出するＸ線検出手段を搭載する受像部を上下方向に移動可能に配設した立位撮影スタンドと、被検者と前記受像部との間に付設されるＸ線撮影用衝立と、を備えるＸ線撮影装置であって、前記Ｘ線検出手段は、前記受像部から取り外し可能であり、前記Ｘ線撮影用衝立は、被検者が立位姿勢で乗る基台部と、前記基台部に立設された衝立部と、前記受像部より取り外した前記Ｘ線検出手段を載置するための載置部と、前記Ｘ線検出手段を位置決めする位置決め部材とを有し、被検者が前記基台部に乗り降りするときに使用される前記基台部内に収納可能なステップと、前記基台部内に配設され、前記ステップの収納位置と引き出し位置との間の移動を案内するガイド部材と、を備えることを特徴とする。
【００１３】
請求項６に記載の発明は、請求項５に記載のＸ線撮影装置において、前記基台部の上面には孔部が形成され、当該孔部にＸ線吸収率の低い材料で構成された板材を配設し、前記ガイド部材は、前記ステップを前記板材と近接する撮影位置に移動させるリフト機構を備える。
【発明の効果】
【００１４】
請求項１乃至請求項６に記載の発明によれば、被検者がＸ線撮影用衝立の基台部に乗り降りするときに使用するステップを基台部に収納可能に備えることにより、自ら大きな段差を昇降することが困難な被検者であっても、基台部への乗り降りを容易に行うことが可能となる。また、ステップを使用しないときには、これを基台部内に収納することができるため、Ｘ線撮影用衝立の占有スペースを小さくすることができる。
【００１５】
請求項２および請求項６に記載の発明によれば、Ｘ線撮影用衝立の基台部の上面にＸ線吸収率の低い材料で構成された板材を配設し、ステップの上面にＸ線検出手段を載置して基台部内にＸ線検出手段を格納することができることから、立位姿勢の被検者のくるぶしより下の足全体のＸ線撮影を行うことが可能となる。
【００１６】
請求項３に記載の発明によれば、ステップを板材と近接する撮影位置に移動させるリフト機構を備えることにより、被検者とＸ線検出手段との間の距離が大きくなることに起因したＸ線撮影画像の拡大を最小限のものとすることができる。
【００１７】
請求項４に記載の発明によれば、ステップ上面のＸ線検出手段の載置部に、Ｘ線検出手段のサイズに応じたマーカーを形成するとともに、Ｘ線検出手段のサイズに応じた位置に移動可能な位置決め部材を備えることにより、多様なサイズのＸ線検出手段を、位置ズレさせることなくＸ線撮影に使用することが可能となる。
【図面の簡単な説明】
【００１８】
【図１】この発明の第１実施形態に係るＸ線撮影装置の概要図である。
【図２】この発明の第１実施形態に係るＸ線撮影用衝立２０の基台部２１を示す説明図である。
【図３】この発明の第１実施形態に係るＸ線撮影用衝立２０の基台部２１を示す説明図である。
【図４】この発明の第２実施形態に係るＸ線撮影装置の概要図である。
【図５】この発明の第２実施形態に係るＸ線撮影用衝立１２０の基台部１２１を示す説明図である。
【図６】この発明の第２実施形態に係るＸ線撮影用衝立１２０のステップ１４０を示す平面図である。
【図７】この発明の第２実施形態に係るＸ線撮影用衝立１２０のリフト機構を示す説明図である。
【発明を実施するための形態】
【００１９】
以下、この発明の実施の形態を図面に基づいて説明する。図１は、この発明の第１実施形態に係るＸ線撮影装置の概要図である。
【００２０】
このＸ線撮影装置は、Ｘ線撮影用衝立２０と、被検者１に向けてＸ線を照射するＸ線管２と、Ｘ線管２から照射され被検者１を通過したＸ線を検出するフラットパネルディテクタ４を搭載した受像部３が移動可能に配設されたＸ線撮影スタンド３０とを備える。受像部３は、図示しない移動機構により上下方向、すなわち、立位姿勢の被検者１の長手方向に沿って床面と垂直な方向に移動するように構成されている。なお、受像部３に搭載されるＸ線検出手段としてのフラットパネルディテクタ４は、受像部３に着脱可能な可搬型のものである。
【００２１】
Ｘ線撮影用衝立２０は、被検者１が撮影時に立位で乗る基台部２１と、基台部２１に立設されＸ線を透過可能な材料からなる衝立部２２とから構成される。基台部２１の下部には、Ｘ線撮影用衝立２０をＸ線撮影スタンド３０の設置位置まで移動させるのを容易にするための車輪２３ａ、２３ｂが配設されている。このように、Ｘ線撮影用衝立２０を、衝立部２２が被検者１と受像部３の間に設置されるように配置することで、被検者１が受像部３と接触することを防止している。
【００２２】
図２および図３は、この発明の第１実施形態に係るＸ線撮影用衝立２０の基台部２１を示す説明図である。図２（ａ）、（ｂ）、（ｃ）は、基台部２１内にステップ４０を収納した状態の平面図、正面図、断面図をそれぞれ示している。また、図３（ａ）、（ｂ）、（ｃ）は、基台部２１からステップ４０を引き出した状態の平面図、正面図、断面図をそれぞれ示している。
【００２３】
基台部２１は、平面視において前方に略逆台形状を有する足載せ部２５を有し、後方に矩形状の開口を形成させている。なお、この矩形状の開口は、Ｘ線撮影スタンド３０の支柱の太さよりも大きなものとしている。基台部２１の裏面には、前方および後方の４隅にＸ線撮影用衝立２０の移動を補助する車輪２３ａ、２３ｂがそれぞれ備えられる。なお、前方側車輪２３ａは、鉛直方向を向く軸を中心に回動可能でストッパーを備えたものである。
【００２４】
図２および図３においては図示を省略しているが、衝立部２２は、基台部２１の後方の矩形状の開口の長辺に沿って立設されている。撮影時には、被検者１は衝立部２２を背にして基台部２１の足載せ部２５に起立する。また、基台部２１の平面視における後方側にＸ線撮影スタンド３０の支柱の太さよりも大きな矩形状の開口を設けたことで、Ｘ線撮影スタンド３０の支柱が障害となることなく、衝立部２２と受像部３との間をより接近させることができる。
【００２５】
また、基台部２１にはステップ４０が備えられる。このステップ４０は、被検者１が基台部２１に乗り降りするときには、図３に示すように、基台部２１の正面から引き出して使用され、それ以外のときは、図２に示すように、その側面を基台部２１内に配設された１対のガイドレール２６に支持された状態で、基台部２１の裏面側、すなわち基台部２１内の空間に収納される。ガイドレール２６は、ステップ４０を、被検者１が基台部２１に乗り降りするときに使用する引き出し位置と、それ以外のときに基台部２１内に収納しておく収納位置とに移動させるのを案内するガイド部材である。ガイドレール２６の正面引き出し側の端部にはコロ（図示せず）が付設されており、ステップ４０の移動をスムースに行うことができる。
【００２６】
ステップ４０の裏面には、床面との密着度が高いゴムクッションを備える脚４１が配設されている。脚４１にゴムクッションを備えることで、被検者１の体重を支えつつ、床面との滑りを防止し、ステップ４０の位置を床面に固定することを可能としている。なお、脚４１は、ステップ４０の前方寄りに偏って配置され、ステップ４０が基台部２１に収納されている状態では、床面に接触しない長さとしている。このため、基台部２１にステップ４０を収納した状態でＸ線撮影用衝立２０を移動させるときに、脚４１が床面と接触することない。また、ステップ４０を基台部２１から引き出して使用するときには、被検者１の体重がステップ４０かかるとステップ４０が前方側に傾くことになり、ステップ４０がガイドレール２６に付設されているコロから離隔する。このため、被検者の体重がコロにかかることによるコロ破損と、それに伴うステップ４０の引き出し動作の不具合の発生を防止できる。
【００２７】
次に、この発明の他の実施形態について説明する。図４は、この発明の第２実施形態に係るＸ線撮影装置の概要図である。なお、第１実施形態に係るＸ線撮影装置と同様の部材については同一の符号を付し、詳細な説明は省略する。
【００２８】
このＸ線撮影装置は、Ｘ線撮影スタンド３０の受像部３に格納している可搬型のフラットパネルディテク４を取り外し、それをＸ線撮影用衝立１２０の基台部１２１内に格納可能に構成されている。そして、図４に示すように、立位姿勢の被検者１の斜め前方にＸ線管２を移動させ、そこから被検者１の足に向けてＸ線を照射することにより、被検者１の足先も含めた足全体のＸ線撮影を可能とするものである。なお、基台部１２１内に格納するＸ線撮影手段は、Ｘ線撮影スタンド３０の受像部３から取り外したフラットパネルディテクタ４に限定されるものではなく、Ｘ線フィルムカセッテ等、種々の可搬型Ｘ線検出手段を採用することができる。
【００２９】
図５は、第２実施形態に係るＸ線撮影用衝立１２０の基台部１２１を示す説明図であり、図５（ａ）は、ステップ１４０を基台部１２１から引き出した状態を示す平面図であり、図５（ｂ）は、その正面図である。また、図６は、ステップ１４０を示す平面図である。
【００３０】
この基台部１２１は、足載せ部１２５に枠状に矩形孔部を形成し、その孔部にＸ線を透過するＸ線吸収率の低い材料からなる板材１２７を配設している。なお、Ｘ線吸収率の低い材料として、カーボン、塩化ビニール、または樹脂等を採用することができる。
【００３１】
ステップ１４０には、その上面に上述したＸ線撮影スタンド３０の受像部３から取り外したフラットパネルディテクタ４を載置可能な載置部１４３が形成される。この載置部１４３には、図６に示すように、ステップ１４０の上面に、載置するフラットパネルディテクタ４のサイズに対応するサイズ目印が印刷されるとともに、フラットパネルディテクタ４を位置決めするための当接部材１４２が移動可能に配置される。この、当接部材１４２は、磁石を内設することにより、フラットパネルディテクタ４のサイズに応じて、鉄製のステップ１４０の所望の位置に固定することができる。なお、サイズ目印はステップ１４０の上面に直接印刷するものに限定されるものではなく、サイズ目印を印刷したシール等をステップ１４０の上面に貼付してもよい。
【００３２】
次に、この実施形態におけるステップ１４０を板材１２７と近接する撮影位置に移動させるリフト機構について説明する。図７は、この発明の第２実施形態に係るＸ線撮影用衝立のリフト機構を示す説明図である。図７（ａ）は、ステップ１４０が引き出し位置にある状態、図７（ｂ）は、ステップ１４０を撮影位置に移動させる中途の状態、図７（ｃ）は、ステップ１４０を撮影位置に移動させた状態を示している。なお、図７（ｂ）、（ｃ）においては、後述する板状部材１５０の外郭線の図示を省略している。
【００３３】
この実施形態のように、基台部１２１内にＸ線検出手段を格納することを目的として、ステップ１４０の上面にＸ線検出手段の載置部を設けた場合には、ステップ１４０を水平移動させて基台部１２１に収納しただけでは、Ｘ線検出手段が被検者１から比較的離れた位置に配置されることになるため、Ｘ線撮影画像の拡大率が大きくなるという問題が生じる。このため、この実施形態では、撮影時にＸ線検出手段を被検者１に対して、より近接した位置に配置できるように、ステップ１４０のガイド部材にリフト機構を備える構成としている。
【００３４】
まず、ステップ１４０の側面には、その正面引き出し側とは逆側となる奥側に偏って、２対のピン１４４ａ、１４４ｂが配設されている。リフト機構は、基台部１２１内に配設された板状部材１５０に形成されたガイド溝１５１に、ステップ１４０の２対のピン１４４ａ、１４４ｂを係合させることにより機能する。なお、板状部材１５０はガイド部材に相当する。
【００３５】
ガイド溝１５１は、２対のピン１４４ａ、１４４ｂを支軸として、ステップ１４０を引き出し位置と撮影位置とにスライド移動させるためのものである。そしてガイド溝１５１は、ステップ１４０の脚１４１が床面に接地している引き出し位置にあるときに、２対のピン１４４ａ、１４４ｂの軸が床面に対して平行となる位置でステップ１４０を支持する水平部１５２と、傾斜した状態で支持するとともに撮影位置の高さまでステップ１４０を案内する傾斜部１５４と、２対のピンのうちステップ１４０のより引き出し側に配設されている１対のピン１４４ａを撮影位置に固定することによりステップ１４０を撮影位置に固定するための固定部１５３と、から構成される。
【００３６】
Ｘ線撮影を行うときには、図７（ａ）乃至（ｃ）に示すように、引き出し位置にあるステップ１４０の上面にフラットパネルディテクタ４が位置決めされて載置され、その状態でステップ１４０が基台部１２１内に向かって挿入される。ステップ１４０は、ガイド溝１５１の傾斜部１５４の傾斜に沿ってその正面引き出し側が下となるように傾いた状態で、その全体が基台部１２１内に入れられる。しかる後、ステップ１４０の正面引き出し側を、操作者等が持ち上げることにより、ガイド溝１５１の固定部１５３に上述した１対のピン１４４ａが嵌合され、ステップ１４０が基台部１２１において被検者１が載っている板材１２７と平行かつ近接する位置である撮影位置で支持される。このようにして、ステップ１４０を板材１２７と近接する撮影位置に移動させることで、フラットパネルディテクタ４と被検者１との間の距離を近いものとし、不必要なＸ線撮影画像の拡大を最小限のものとすることができる。
【符号の説明】
【００３７】
１  被検者
２  Ｘ線管
３  受像部
４  フラットパネルディテクタ
２０  Ｘ線撮影用衝立
２１  基台部
２２  衝立部
２３  車輪
２４  ストッパー
２５  足載せ部
２６  ガイドレール
３０  Ｘ線撮影スタンド
４０  ステップ
４１  脚
１２０  Ｘ線撮影用衝立
１２７  板材
１４０  ステップ
１４２  当接部材
１４３  載置部
１４４  ピン
１５０  板状部材
１５１  ガイド溝
【図１】
0005494413.tif 000002
【図２】
0005494413.tif 000003
【図３】
0005494413.tif 000004
【図４】
0005494413.tif 000005
【図５】
0005494413.tif 000006
【図６】
0005494413.tif 000007
【図７】
0005494413.tif 000008